(57)【要約】【課題】ヘルメット等の着用時にも邪魔にならない骨伝導ヘッドセットを提供する。【解決手段】この骨伝導ヘッドセット１は、使用者の頭部を挟むように装着される。この骨伝導ヘッドセット１は、左右の支持フレーム２Ｌ，２Ｒと、ヘッドバンド３と、振動ドライバユニット４Ｌ，４Ｒと、左右のイヤーフック５Ｌ，５Ｒと、を備えている。ヘッドバンド３は、Ｕ字状に形成され、一端が左支持フレーム２Ｌの下端部に連結されるとともに、他端が右支持フレーム２Ｒの下端部に連結され、使用者の頭部に巻き掛け可能である。振動ドライバユニット４Ｌ，４Ｒは、左右の支持フレーム２Ｌ，２Ｒに装着されている。左右のイヤーフック５Ｌ，５Ｒは、左右の支持フレーム２Ｌ，２Ｒの上部から上方に突出する湾曲部５ｃを有する。【選択図】図１
2018157259.tif 000002
【特許請求の範囲】
【請求項１】
使用者の頭部を挟むように装着される骨伝導ヘッドセットであって、
左右の支持フレームと、
Ｕ字状に形成され、一端が前記左支持フレームの下部に連結されるとともに、他端が前記右支持フレームの下部に連結され、使用者の頭部に巻き掛け可能なヘッドバンドと、
前記左右の支持フレームの少なくとも一方に装着された振動ドライバユニットと、
前記左右の支持フレームの上部から上方に突出する湾曲部を有する左右のイヤーフックと、
を備えた骨伝導ヘッドセット。
【請求項２】
前記左右の支持フレームは上下方向に延びて形成されており、
前記ヘッドバンドは前記左右の支持フレームの下端部に連結されている、
請求項１に記載の骨伝導ヘッドセット。
【請求項３】
前記左右の支持フレームは、後方側の側面に後方に突出する突出部を有し、
前記ヘッドバンドの両端は、前記突出部に連結されている、
請求項２に記載の骨伝導ヘッドセット。
【請求項４】
前記左右のイヤーフックは、前記湾曲部が上方を向く使用位置と、前記湾曲部が後方を向く収納位置と、を取り得る、請求項１から３のいずれかに記載の骨伝導ヘッドセット。
【請求項５】
前記イヤーフックは、前記収納位置では前記左右の支持フレームの上端から下方に位置する、請求項４に記載の骨伝導ヘッドセット。
【請求項６】
前記左右のイヤーフックの少なくとも一方は、前記振動ドライバユニットに装着され、前記振動ドライバユニットとともに前記支持フレームに対して回動自在であり、
前記左右のイヤーフック及び前記振動ドライバユニットを、前記使用位置及び前記収納位置と、前記使用位置と前記収納位置との間の任意の複数の位置で保持するための位置保持機構をさらに備えた、
請求項４又は５に記載の骨伝導ヘッドセット。
【請求項７】
前記ヘッドバンドは、頭部を挟む方向に弾性変形可能である、請求項１から６のいずれかに記載の骨伝導ヘッドセット。
【発明の詳細な説明】
【技術分野】
【０００１】
本開示は、使用者の頭部を挟むように装着される骨伝導ヘッドセットに関する。
【背景技術】
【０００２】
骨伝導ヘッドセットは、音響電気信号から変換された機械的振動を、頭蓋骨を介して聴覚神経に伝達できるものであり、例えば、周囲の騒音が大きい建設現場等で使用されている。
【０００３】
この種の骨伝導ヘッドセットが特許文献１に示されている。特許文献１の骨伝導ヘッドセットは、ヘッドバンドと、ヘッドバンドの両端に設けられたドライバユニットと、を有している。ヘッドバンドは、Ｕ字状のバンド本体と、バンド本体の両端に設けられた取付部材と、から構成されている。また、ヘッドバンドの取付部材には耳掛け片（イヤーフック）が設けられている。
【０００４】
特許文献１の骨伝導ヘッドセットを使用する際には、ヘッドバンドを使用者の頭部又は首部に巻き掛け、イヤーフックを耳介上部と側頭部との間に引っ掛け、ドライバユニットをこめかみ部分に当接させる。
【先行技術文献】
【特許文献】
【０００５】
【特許文献１】特許第４８１６０４３号公報
【発明の概要】
【発明が解決しようとする課題】
【０００６】
ところで、骨伝導ヘッドセットが使用される作業現場では、作業者（骨伝導ヘッドセットの使用者）は、ヘルメットや防護メガネを着用しなければならない場合が多い。このような環境下において特許文献１に示されたような骨伝導ヘッドセットを使用すると、イヤーフックが防護メガネを着用する際の邪魔になったり、またヘッドバンドがヘルメットの着用の邪魔になったりする場合が多い。さらに、ヘッドバンドは、内部に配線を収納する必要があるために太く形成せざるを得ないが、特許文献１の骨伝導ヘッドセットでは、ヘッドバンドが耳介上部を通過しており、ヘッドバンドも防護メガネの着用の邪魔になる。
【０００７】
本開示の課題は、ヘルメット等の着用時にも邪魔にならない骨伝導ヘッドセットを提供することにある。
【課題を解決するための手段】
【０００８】
本開示に係る骨伝導ヘッドセットは、使用者の頭部を挟むように装着される。この骨伝導ヘッドセットは、左右の支持フレームと、ヘッドバンドと、振動ドライバユニットと、左右のイヤーフックと、を備えている。ヘッドバンドは、Ｕ字状に形成され、一端が左支持フレームの下端部に連結されるとともに、他端が右支持フレームの下端部に連結され、使用者の頭部に巻き掛け可能である。振動ドライバユニットは、左右の支持フレームの少なくとも一方に装着されている。左右のイヤーフックは、左右の支持フレームの上部から上方に突出する湾曲部を有する。
【発明の効果】
【０００９】
本開示による骨伝導ヘッドセットによれば、イヤーフックのみが耳介の上部と側頭部との間に引っ掛けられ、またイヤーフックとヘッドバンドとは別々に構成されているので、イヤーフックを細くすることができ、ヘルメットや防護メガネ等の着用時にも邪魔にならない骨伝導ヘッドセットを提供することにある。
【図面の簡単な説明】
【００１０】
【図１】本開示の一実施形態による骨伝導ヘッドセットの使用時の外観斜視図。
【図２】図１の骨伝導ヘッドセットの収納時の外観斜視図。
【図３】使用者が骨伝導ヘッドセットを着用した状態を示す側面図。
【図４】骨伝導ヘッドセットの支持フレーム及び振動ドライバユニットの断面構成図。
【図５】ヘッドバンドの外観斜視図。
【図６】イヤーフックと振動ドライバユニットの装着部分を示す外観斜視図。
【図７】イヤーフックの外観斜視図。
【図８】位置保持機構を示す図。
【発明を実施するための形態】
【００１１】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、出願人は、当業者が本開示を十分に理解するために添付図面および以下の説明を提供するのであって、これらによって特許請求の範囲に記載の主題を限定することを意図するものではない。
【００１３】
本開示の一実施形態に係る装置について、図１〜図７を用いて説明する。
【００１４】
［全体構成］
図１及び図２は、骨伝導ヘッドセット１の外観を示す斜視図である。この骨伝導ヘッドセット１は、左右の支持フレーム２Ｌ，２Ｒと、ヘッドバンド３と、左右の振動ドライバユニット４Ｌ，４Ｒと、左右のイヤーフック５Ｌ，５Ｒと、を備えている。また、骨伝導ヘッドセット１は、左右の振動ドライバユニット４Ｌ，４Ｒ及びイヤーフック５Ｌ，５Ｒを所定の位置に保持するための左右の位置保持機構６Ｌ，６Ｒを有している。この骨伝導ヘッドセット１は、図３に示すように、使用者の後頭部又は首部に巻き掛けられて使用される。
【００１５】
なお、図１は、使用者に装着された状態での骨伝導ヘッドセット１を示しており、以下では、図１における上方向を「上」、下方向を「下」、左右の支持フレーム２Ｌ，２Ｒの間を「内側」、左右の支持フレーム２Ｌ，２Ｒの振動ドライバユニット４Ｌ，４Ｒが装着されていない側を「外側」と規定して説明する。また、図１において右側（ヘッドバンド３がが装着された側）を「後方」、逆側を「前方」と規定して説明する。
【００１６】
［支持フレーム２Ｌ，２Ｒ］
左右の支持フレーム２Ｌ，２Ｒは同様の構成であるので、ここでは、一方の支持フレーム２Ｌについてのみ説明する。
【００１７】
支持フレーム２Ｌは、上下方向に延びる箱状に形成されている。図４に示すように、支持フレーム２Ｌの上端部の内側面には第１貫通孔２ａが、下側の面には第２貫通孔２ｂが、外側面の上下方向のほぼ中央には第３貫通孔２ｃが、それぞれ形成されている。第１〜第３貫通孔２ａ〜２ｃは、支持フレーム２Ｌの内部に貫通している。第２貫通孔２ｂには、図３に示すようにマイク１０の端子１１が挿入可能である。第３貫通孔２ｃには、通話用のボタン１２が装着される。このボタン１２を押圧操作することによって、マイク１０を通して通話が可能である。さらに、支持フレーム２Ｌの後方側の側面において、下端部には、後方に突出する突出部２ｄが形成されている。この突出部２ｄには、前後方向に貫通する第４貫通孔２ｅが形成されている。
【００１８】
なお、ここでは詳細は省略するが、左右の支持フレーム２Ｌ，２Ｒの内部には、スイッチ、マイク端子接続ジャック、基板等が配置されている。
【００１９】
［ヘッドバンド３］
ヘッドバンド３は、略Ｕ字形状であり、使用者の後頭部又は首部に巻き掛けることが可能である。ヘッドバンド３は、図５に示すように、フレーム３１と、樹脂製のフレームカバー３２と、から形成されている。フレーム３１は、例えばポリプロピレン等の合成樹脂や、アルミニウム、ステンレス等の金属により形成され、横方向（使用者の頭部を挟み込む方向）に適度な弾性を有している。フレーム３１の両端は、左右の支持フレーム２Ｌ，２Ｒの突出部の第４貫通孔２ｅに挿入されて固定されている。また、このヘッドバンド３の内部には、左右の支持フレーム２Ｌ，２Ｒの基板等に電気的に接続された配線（図示せず）が収納されている。
【００２０】
［振動ドライバユニット４Ｌ，４Ｒ］
左右の振動ドライバユニット４Ｌ，４Ｒは同様の構成であるので、ここでは、一方の振動ドライバユニット４Ｌについてのみ説明する。
【００２１】
振動ドライバユニット４Ｌは、音声信号を機械的振動に変換する電磁型の振動ドライバである。振動ドライバユニット４Ｌ自体の構成は、従来から周知の構成と同様であるので詳細な説明は省略するが、コイル、マグネット、ウェイト、ヨーク、スプリング、ダイアフラム等を有している。また、図４に示すように、振動ドライバユニット４Ｌは、以上の各部品を収容し、マグネットの機械的振動を外部に伝達するハウジング４１を有している。
【００２２】
図４に示すように、ハウジング４１の外側面の中央部には、外側に突出する筒状の支持部４１ａが形成されている。支持部４１ａは、支持フレーム２Ｌの第１貫通孔２ａに挿入され、止め輪１４によって抜け止めされている。支持部４１ａの外周部には、弾性変形可能なパッキン１５が装着されている。パッキン１５は、ハウジング４１の外側面と支持フレーム２Ｌの内側面との間に配置され、振動の抑制機能及び防水機能を有している。
【００２３】
また、ハウジング４１の外側面において、パッキン１５の装着された部分のさらに外周側には、図４及び図６に示すように、イヤーフック５Ｌ，５Ｒを取り付けるための環状の溝４１ｂが形成されている。
【００２４】
［イヤーフック５Ｌ，５Ｒ］
支持フレーム２Ｌ，２Ｒ及び振動ドライバユニット４Ｌ，４Ｒと同様に、左右のイヤーフック５Ｌ，５Ｒは同様の構成であるので、ここでは、一方のイヤーフック５Ｌについてのみ説明する。
【００２５】
イヤーフック５Ｌは、振動ドライバユニット４Ｌの外側面に装着されている。また、イヤーフック５Ｌは振動ドライバユニット４Ｌとともに、図１に示す使用位置と図２に示す収納位置との間で移動可能である。また、位置保持機構６Ｌ，６Ｒによって、使用位置と収納位置との間の複数の補助使用位置で保持することが可能である。
【００２６】
イヤーフック５Ｌは、図７に示すように、ヘッドバンド３と同様に、樹脂や金属により形成されたフレーム５１と、樹脂製のフレームカバー５２と、から形成されている。イヤーフック５Ｌは、装着部５ａと、フック部５ｂと、を有しており、ヘッドバンド３の線径よりは線径が小さい。
【００２７】
装着部５ａは、図７に示すように、フレーム５１を、上方が開口するようにほぼＣ字状に加工して形成されている。この装着部５ａは、振動ドライバユニット４Ｌの外側面に形成された環状溝４１ｂにはめ込まれている。
【００２８】
フック部５ｂは、装着部５ａの一端から連続して形成されており、湾曲部５ｃと、使用位置において後方に延びる後方延長部５ｄと、後方延長部５ｄの一端から使用位置において下方に延びる下方延長部５ｅと、を有している。なお、下方延長部５ｅの先端には、樹脂製の保護部材５３が装着されている。
【００２９】
湾曲部５ｃは、図１に示すように、使用位置において、支持フレーム２Ｌの上端からさらに上方に突出するように形成されている。また、図２に示すように、収納位置においては、イヤーフック５Ｌの全体が支持フレーム２Ｌの上端から下方に位置するように形成されている。
【００３０】
［位置保持機構５０］
前述のように、左右のイヤーフック５Ｌ，５Ｒは、左右の位置保持機構６Ｌ，６Ｒによって、使用位置と収納位置との間の複数の補助使用位置で保持することが可能である。
【００３１】
左右の位置保持機構６Ｌ，６Ｒは同様の構成であり、それぞれ左右の振動ドライバユニット４Ｌ，４Ｒと左右の支持フレーム２Ｌ，２Ｒとの間に設けられている。ここでは、一方の位置保持機構６Ｒについてのみ説明する。
【００３２】
位置保持機構６Ｒは、図８に示すように、係止突起６１と、複数の係合溝６２と、第１係合突起６３と、第２係合突起６４と、を有している。係止突起６１及び複数の係合溝６２は、支持フレーム２Ｒの内側面に形成されている。第１係合突起６３及び第２係合突起６４は、振動ドライバユニット４Ｒの外側面に形成されている。なお、図８は右側の支持フレーム２Ｒ及び振動ドライバユニット４Ｒを下方から視た図である。
【００３３】
振動ドライバユニット４Ｒを支持フレーム２Ｒに対して回転させて第１係合突起６３を隣接する係合溝６２に移動させるとき、振動ドライバユニット４Ｒ及び支持フレーム２Ｒの少なくも一方が僅かに撓むように構成されている。これにより、軸方向において振動ドライバユニット４Ｒと支持フレーム２Ｒとの距離が離れて、第１係合突起６３を隣接する係合溝６２の位置まで移動させることができる。このようにして、ヘッドバンド３と振動ドライバユニット４Ｒ及びイヤーフック５Ｒとの相対角度を変更することができる。
【００３４】
また、第１係合突起６３及び第２係合突起６４は、係止突起６１を乗り越えることができないように軸方向の位置が調整されている。すなわち、振動ドライバユニット４Ｒは、周方向において、第１係合突起６３と第２係合突起６４との間で移動可能である。具体的には、イヤーフック５Ｒが図１に示す使用位置にあるとき、図８に示すように係止突起６１によって第１係合突起が係止され、イヤーフック５Ｒが図２に示す収納位置にあるとき、係止突起６１によって第２係合突起が係止される。
【００３５】
［使用方法］
本実施形態の骨伝導ヘッドセット１を使用する際には、図１に示すように、振動ドライバユニット４Ｌ，４Ｒ及びイヤーフック５Ｌ，５Ｒを使用位置に位置させる。この状態では、イヤーフック５Ｌ，５Ｒは湾曲部５ｃが支持フレーム２Ｌ，２Ｒの上端からさらに上方に位置している。そして、ヘッドバンド３を後頭部又は首に巻き掛け、イヤーフック５Ｌ，５Ｒを耳介の上部と側頭部との間に掛けることにより、使用することが可能である。
【００３６】
また、骨伝導ヘッドセット１を頭部から取り外して収納する場合は、振動ドライバユニット４Ｌ，４Ｒ及びイヤーフック５Ｌ，５Ｒを回転させて、図２に示すような収納姿勢にする。この状態では、イヤーフック５Ｌ，５Ｒの全体が支持フレーム２Ｌ，２Ｒの上端よりも下方に位置することになる。したがって、使用していない時の骨伝導ヘッドセット１をコンパクトにできる。また、イヤーフック５Ｌ，５Ｒが他の物に当たって変形したり、破損したりするのを防止できる。
【００３７】
なお、図１に示すような使用位置では、使用者の頭部とヘッドバンド３との間の隙間が大きい場合には、この隙間を小さくすることが可能である。すなわち、振動ドライバユニット４Ｌ，４Ｒ及びイヤーフック５Ｌ，５Ｒを他の使用位置（補助使用位置）に回転し、位置保持機構６Ｌ，６Ｒによって保持させる。振動ドライバユニット４Ｌ，４Ｒ及びイヤーフック５Ｌ，５Ｒを回転させると、骨伝導ヘッドセット１を使用者の頭部に装着した状態では、相対的にヘッドバンド３が上方に位置することになる。このため、使用者に対する振動ドライバユニット４Ｌ，４Ｒ及びイヤーフック５Ｌ，５Ｒの装着位置を変えることなく、ヘッドバンド３を使用者の後頭部に近づけることができ、ヘッドバンド３と後頭部との隙間を小さくすることができる。
【００３８】
［特徴］
以上の実施形態による骨伝導ヘッドセット１では、以下の特徴を有する。
【００３９】
（１）左右の支持フレーム２Ｌ，２Ｒの上端部にイヤーフック５Ｌ，５Ｒが上方に突出して設けられ、かつ左右の支持フレーム２Ｌ，２Ｒの下端部にヘッドバンド３が連結されているので、骨伝導ヘッドセット１を装着した際に、ヘッドバンド３が比較的頭部の下方又は首部分に巻き掛けられることになる。このため、使用者がヘルメットや防護メガネを着用した場合であっても、ヘッドバンド３が邪魔になることはない。
【００４０】
（２）ヘッドバンド３とイヤーフック５Ｌ，５Ｒとが別に設けられているので、イヤーフック５Ｌ，５Ｒの内部に配線を収容する必要がない。このため、イヤーフック５Ｌ，５Ｒの線径を小さくすることができ、防護メガネを着用する際にイヤーフック５Ｌ，５Ｒが邪魔になりにくい。
【００４１】
（３）左右の支持フレーム２Ｌ，２Ｒの後方側の側面に後方に突出部２ｄが設けられ、この突出部２ｄにヘッドバンド３が連結されている。このため、左右の支持フレーム２Ｌ，２Ｒがヘッドバンド３から側方に突出することがなく、装置全体の横方向の寸法を抑えることができる。
【００４２】
（４）本装置を使用しないときには、イヤーフック５Ｌ，５Ｒを収納位置に収納することができる。収納位置では、イヤーフック５Ｌ，５Ｒの全体が支持フレーム２Ｌ，２Ｒの上端から下方に位置するので、使用していないときの本装置のサイズをコンパクトにでき、またイヤーフック５Ｌ，５Ｒが他の物に衝突して変形したり、破損したりするのを防止できる。
【００４３】
（５）振動ドライバユニット４Ｌ，４Ｒ及びイヤーフック５Ｌ，５Ｒを、ヘッドバンド３に対して角度を調整し、複数の位置で保持することができる。このため、使用者の頭部の形状や大きさに合わせてヘッドバンド３の位置を調整でき、使用者の頭部とヘッドバンド３との間の隙間を最小限にして使用中における本装置のズレ等を抑えることができる。
【００４４】
また、振動ドライバユニット４Ｌ，４Ｒ及びイヤーフック５Ｌ，５Ｒが共に回転するので、振動ドライバユニット４Ｌ，４Ｒ及びイヤーフック５Ｌ，５Ｒとヘッドバンド３との角度を調整した際にも、振動ドライバユニット４Ｌ，４Ｒの頭部に対する当接位置が変わるのを防止できる。
【００４５】
（６）イヤーフック５Ｌ，５Ｒの装着部５ａを、Ｃ字状に形成し、振動ドライバユニット４Ｌ，４Ｒの環状溝４１ｂにはめ込んでいるので、本装置を使用している際に、支持フレーム２Ｌ，２Ｒやヘッドバンド３等に下方への外力が作用しても、イヤーフック５Ｌ，５Ｒが振動ドライバユニット４Ｌ，４Ｒから外れにくい。
【産業上の利用可能性】
【００４６】
本開示は、作業現場等において使用される骨伝導ヘッドセットに適用可能である。そして、本開示による骨伝導ヘッドセットによれば、ヘルメット等の着用時にも邪魔にならない骨伝導ヘッドセットを得ることができる。
【００４７】
［他の実施形態］
以上、本開示の一実施形態について説明したが、本開示は上記実施形態に限定されるものではなく、開示の要旨を逸脱しない範囲で種々の変更が可能である。
【００４８】
（Ａ）前記実施形態では、イヤーフック５Ｌ，５Ｒは、振動ドライバユニット４Ｌ，４Ｒに装着され、振動ドライバユニット４Ｌ，４Ｒとともに支持フレーム２Ｌ，２Ｒに対して回転するようにしたが、イヤーフック５Ｌ，５Ｒは支持フレーム２Ｌ，２Ｒに対して回転自在に装着するようにしてもよい。
【００４９】
（Ｂ）前記実施形態では、左右の支持フレーム２Ｌ，２Ｒのそれぞれに振動ドライバユニット４Ｌ，４Ｒを設けたが、左右の支持フレーム２Ｌ，２Ｒの一方にのみ振動ドライバユニットを設けてもよい。この場合は、振動ドライバユニットに代えてパッドを設けるなどすればよい。
【符号の説明】
【００５０】
１  骨伝導ヘッドセット
２Ｌ，２Ｒ  支持フレーム
３  ヘッドバンド
４Ｌ，４Ｒ  振動ドライバユニット
５Ｌ，５Ｒ  イヤーフック
５ａ  装着部
５ｂ  フック部
５ｃ  湾曲部
６Ｌ，６Ｒ  位置保持機構
【図１】
2018157259.tif 000003
【図２】
2018157259.tif 000004
【図３】
2018157259.tif 000005
【図４】
2018157259.tif 000006
【図５】
2018157259.tif 000007
【図６】
2018157259.tif 000008
【図７】
2018157259.tif 000009
【図８】
2018157259.tif 000010